(57)【要約】【課題】形状記憶合金又は超弾性部材等からなる形状記憶部材をパッド素地に固定し易くするとともに、形状記憶部材がずれ難くなるようにする。【解決手段】形状記憶部材１６を、パッド素地へ取り付け可能な柔軟部材１４に固定してパッド形成部品１０を構成し、このパッド形成部品１０をパッド素地に取り付けることによって、形状記憶部材１６を内蔵する肩パッド１８を製造できるようにした。【選択図】　　　図１
2004052214.tif 000002
【特許請求の範囲】
【請求項１】
形状記憶合金又は超弾性合金等からなる１又は２以上の湾曲形状が記憶させられて湾曲した形状記憶部材が、パッド素地へ取付け可能な帯状の樹脂材であって、該形状記憶部材を嵌め込む溝が設けられ、該溝の数箇所に係合凸部が備えられた柔軟部材に嵌め込み固定されて構成されたことを特徴とするパッド形成部品。
【請求項２】
形状記憶合金又は超弾性合金等からなる１又は２以上の湾曲形状が記憶させられて湾曲した形状記憶部材が、パッド素地へ取付け可能な帯状の柔軟部材に接着シートにより固定されて構成されたことを特徴とするパッド形成部品。
【請求項３】
形状記憶合金又は超弾性合金等からなる１又は２以上の湾曲形状が記憶させられて湾曲した形状記憶部材を帯状の柔軟部材に固定して請求項１又は請求項２に記載のパッド形成部品を構成した後、該パッド形成部品の柔軟部材をパッド素地へ取り付けることを特徴とするパッドの製造方法。
【発明の詳細な説明】
【０００１】
【産業上の利用分野】
本発明は、形状記憶合金又は超弾性合金等からなる形状記憶部材を内蔵したパッドを形成するためのパッド形成部品及びパッドの製造方法に関する。
【０００２】
【従来の技術】
従来から、衣服の形状を整えるためにパッドが使用されている。また、近年においては、形状記憶部材の内蔵されたパッドが案出されて使用されている。
【０００３】
この形状記憶部材の内蔵されたパッドの一例として、肩パッド（パッド）１を図１１に示す。この肩パッド１は、複数層から成るパッド素地２の間に形状記憶部材３が内蔵されたものである。このような肩パッド１は、平面状に形成されたパッド素地２を折り曲げ、その折り曲げ位置近辺に、湾曲状の形状を記憶させられた形状記憶合金３を挟んだ後、加熱押圧して接着することにより製造することを、本出願人は先に提案している。
【０００４】
【発明が解決しようとする課題】
しかし、この肩パッド１の製造方法は、湾曲状の形状記憶合金３を平面状のパッド素地２に挟まなければならないため、湾曲状の形状記憶合金３を真直にのばしながら挟まなければならなかった。このため、製造作業が困難であった。また、針金状の形状記憶合金３を挟んだのでは、形状記憶合金３の位置がずれやすかった。このため、肩パッド１が型くずれすることがあり、品質の高い肩パッドを製造することができなかった。
【０００５】
そこで、本発明者は、このような課題を解決するべく鋭意研究した結果、本発明に到達した。
【０００６】
【課題を解決するための手段】
本発明のパッド形成部品の要旨とするところは、形状記憶合金又は超弾性合金等からなる１又は２以上の湾曲形状が記憶させられて湾曲した形状記憶部材が、パッド素地へ取付け可能な帯状の樹脂材であって、該形状記憶部材を嵌め込む溝が設けられ、該溝の数箇所に係合凸部が備えられた柔軟部材に嵌め込み固定されて構成されたことにある。
【０００７】
また、本発明のパッド形成部品の要旨とするところは、形状記憶合金又は超弾性合金等からなる１又は２以上の湾曲形状が記憶させられて湾曲した形状記憶部材が、パッド素地へ取付け可能な帯状の柔軟部材に接着シートにより固定されて構成されたことにある。
【０００８】
次に、本発明のパッドの製造方法の要旨とするところは、形状記憶合金又は超弾性合金等からなる１又は２以上の湾曲形状が記憶させられて湾曲した形状記憶部材を帯状の柔軟部材に固定して請求項１又は請求項２に記載のパッド形成部品を構成した後、該パッド形成部品の柔軟部材をパッド素地へ取り付けることにある。
【０００９】
【作用】
本発明のパッド形成部品は、形状記憶合金又は超弾性部材等からなる形状記憶部材が板状の柔軟部材に固定されている。従って、この柔軟部材を加熱溶着や縫合によってパッド素地に取付ければ、形状記憶部材を内蔵するパッドが製造される。板状の柔軟部材をパッド素地に取付ければ良いため、加熱溶着や縫合による取付けが容易になる。また、板状であるため、針金状の形状記憶部材をパッド素地に直接固定する従来のパッドと異なり、形状記憶部材の位置がずれることもなくなる。
【００１０】
また、柔軟部材が帯状であり、柔軟部材によって構成されるパッド形成部品全体に渡って帯状である本発明のパッド形成部品は、全体が帯状に構成される。全体が帯状に構成されるため、パッド素地が層状に構成されている場合等に、そのパッド素地内に固定し易い。また、帯状であるため、形状記憶回復機能の必要な部分に沿って固定することが可能である。さらに、複数個のパッド形成部品を適宜組み合わせて、パッドに最適の形状記憶能力を備えさせることができる。
【００１１】
次に、本発明のパッドの製造方法は、まず形状記憶合金又は超弾性合金等からなる形状記憶部材を板状の柔軟部材に固定しておいた後、その柔軟部材をパッド素地に固定することによって、形状記憶部材が内蔵されたパッドを形成する方法である。すなわち、この点において、針金状の形状記憶部材を直接パッド素地に固定していた従来のパッドの製造方法と異なる。
【００１２】
【実施例】
次に、本発明に係るパッド形成部品及びパッドの製造方法の実施例について、図面に基づいて詳しく説明する。
【００１３】
図１及び図２において、符号１０は本発明に係る肩パッド形成部品（パッド形成部品）であり、セットインスリーブ用の肩パッド１８の形成部品である。この形成部品１０は、パッド素地１２に固定可能な帯状部材（柔軟部材）１４に、１本の形状記憶部材１６が固定されて構成されている。
【００１４】
帯状部材１４は織布又は不織布から構成されており、形状記憶部材１６が縫合されて固定されている。なお、縫い方は、かがり縫いの他、まつり縫い等でも良く、特に限定されることはない。形状記憶部材１６は、形状記憶合金からなり、肩１１に当てることができるように、湾曲形状が記憶させられている。また、形状記憶部材１６の両端はパッド素地１２を破ることがないように折り曲げられている。なお、形状記憶合金の代替として超弾性合金を使用しても良い。超弾性合金とは、ゴムのような伸縮性があるとともに形状回復能力のある合金であり、例えばニッケルとチタンによる合金等である。
【００１５】
この形成部品１０は、図２に示すように、複数層のパッド素地１２を半分に折り曲げ、その折り曲げ位置付近に挟まれる。折り曲げ位置付近に挟まれると、加熱押圧装置等によって加熱押圧され、複数層のパッド素地１２が溶着される。複数層のパッド素地１２が溶着されることにより、形成部品１０がパッド素地１２に固定される。このようにして、形状記憶部材１６の内蔵された肩パッド１８が製造される。なお、形成部品１０が折り曲げ位置付近に挟まれた後、パッド素地１２を縫合することによって、形成部品１０を固定しても良い。
【００１６】
このような肩パッド１８の形成部品１０及び肩パッド１８の製造方法によれば、形状記憶部材１６の固定された帯状部材１４をパッド素地１２に固定することにより、形状記憶部材１６の内蔵された肩パッド１８を製造することができる。このため、従来のように、形状記憶部材を直接パッド素地に固定するのと異なり、パッド素地１２に固定し易くなる。また、形状記憶部材１６の固定された帯状部材１４をパッド素地１２に固定するため、形状記憶部材１６がパッド素地１２に対してずれ難くなる。このため、肩パッド１８が型くずれしないようになり、品質の高い肩パッド１８を製造することができる。
【００１７】
以上、本発明の一実施例について説明したが、本発明に係るパッド形成部品及びパッドの製造方法はその他の態様でも実施し得るものである。
【００１８】
例えば、図３に示す肩パッド形成部品（パッド形成部品）２０であっても良い。この形成部品２０はラグランスリーブ用の肩パッド２８の形成部品であり、パッド素地２２に固定可能な帯状部材（柔軟部材）２４に、１本の形状記憶部材２６が固定されて構成されている。この形成部品２０は、その面方向に少し湾曲した形状に構成されており、パッド素地２２に固定してパッド素地２２を固定した時に、肩パッド２８の頂上３０付近から湾曲状に垂れる垂れ部３２が形成されるようにされており、肩パッド２８が肩２１だけでなく袖２３にまで行き渡るようにされている。
【００１９】
このような形成部品２０及び形成部品２０によるパッドの製造方法によっても、形状記憶部材２６の固定された帯状部材２４をパッド素地２２に固定することにより、形状記憶部材２６の内蔵されたラグランスリーブ用の肩パッド２８を製造することができる。また、形状記憶部材２６の固定された帯状部材２４をパッド素地２２に固定するため、形状記憶部材２６がパッド素地２２に対してずれ難くなる。このため、肩パッド２８が型くずれしないようになり、ラグランスリーブの衣服の形状を整えることができる。
【００２０】
次に、本発明に係るパッド形成部品は図４に示すパッド形成部品４０であっても良い。この形成部品４０は、形成部品１０よりも帯状部材（柔軟部材）４４の幅が広く構成されており、２本の形状記憶部材４６が帯状部材４４に固定されている。このような形成部品４０及び形成部品４０によるパッドの製造方法によっても、形成部品１０及び形成部品１０によるパッドの製造方法と略同様の効果を奏することができる。また、帯状部材４４の幅が広く構成されているため、よりずれ難くなる。
【００２１】
また、本発明に係るパッド形成部品は図５に示すパッド形成部品５０であっても良い。この形成部品５０は、樹脂からなる帯状部材（柔軟部材）５４内に形状記憶部材５６が内蔵されるように一体成形されて構成されている。この形成部品５０は接着シート等により、或いはパッド素地が縫合されることによりパッド素地に固定される。このような形成部品５０及び形成部品５０によるパッドの製造方法によっても、形成部品１０及び形成部品１０によるパッドの製造方法と略同様の効果を奏することができる。なお、形状記憶部材５６を一体成形するのではなく、後で帯状部材に嵌め込んでも良い。例えば、図６に示すパッド形成部品５８であっても良い。この形成部品５８の帯状部材５５には、形状記憶部材５６を嵌め込む溝５９が設けられ、この溝５９の数箇所に係合凸部５７が備えられている。このような形成部品５８は、先に帯状部材５５を成形しておき、後で形状記憶部材５６を嵌め込むことができ、製造するのが容易である。
【００２２】
次に、本発明に係るパッド形成部品は図７に示すパッド形成部品６０であっても良い。この形成部品６０は、帯状部材（柔軟部材）６４に、形状記憶メッシュからなる形状記憶部材６６が、接着シート６８によって固定されて構成されている。このような形成部品６０によれば、より薄く構成することが可能となるため、パッドに内蔵してもその形状がパッドの表面に表れず、外観上好ましい。また、人の皮膚に対する肌触りがやわらかくなるため、肩パッド等に内蔵するのに好ましい。
【００２３】
また、本発明に係るパッド形成部品は図８に示すパッド形成部品７０であっても良い。この形成部品７０は帯状部材（柔軟部材）７４に形状記憶繊維からなる形状記憶部材７６が縫合されて構成されている。このような形成部品７０によっても形成部品６０と略同様の効果を奏することができる。
【００２４】
また、本発明に係るパッド形成部品は図９に示すパッド形成部品８０であっても良い。この形成部品８０は、帯状部材（柔軟部材）８４に板状の形状記憶部材８６が接着シート８８によって固定されて構成されている。このような形成部品８０によっても形成部品６０と略同様の効果を奏することができる。
【００２５】
次に、上述したパッド形成部品は、パッドを製造する場合に１個のみ使用されることに限定されない。例えば、図１０に示すように、本発明に係るパッド形成部品９２及び９４を、パッド素地９６へ十字状に固定しても良い。このように複数個のパッド形成部品を使用することにより、肩パッド９８の形状回復能力を向上させることができる。
【００２６】
以上、本発明の実施例について、図面に基づいて種々説明したが、本発明は図示したパッド形成部品及びパッドの製造方法に限定されるものではない。例えば、本発明のパッド形成部品によって製造するパッドは、上述のような肩パッドに限定されず、胸パッドや肘パッド等であっても良い。また、通常の衣服用のパッドに限定されず、野球、ボクシング又はフットボール等のスポーツ用のパッドであっても良い。
【００２７】
また、本発明のパッド形成部品によって肩パッドを製造する場合において、製造する肩パッドの形状は上述のものに限定されず、ワッフル形状のもの等であっても良い。また、本発明のパッドの形成部品によって製造する肩パッドは、上述のようにセットインスリーブやラグランスリーブ用に限定されず、きものスリーブやフレンチスリーブ用であっても良い。
【００２８】
次に、柔軟部材の形状は、パッド形成部品全体としてある程度の幅のある板状になり、パッド素地に取付け易いものであれば良い。また、本願にいう形状記憶合金又は超弾性合金等からなる形状記憶部材とは、広く形状回復能力を有する部材をいう概念であり、上述した形状記憶メッシュや形状記憶繊維の他、形状回復能力を有する材料からなる部材であれば良い。また、本発明のパッド形成部品は単体のパッドを製造するためのものに限定されず、衣服に直接取り付けて使用しても良い。その他、本発明に係るパッド形成部品及びその製造方法はその趣旨を逸脱しない範囲で当業者の知識に基づき種々なる改良、修正、変形を加えた態様で実施できるものである。
【００２９】
【発明の効果】
本発明のパッド形成部品によれば、形状記憶合金等の固定された柔軟部材をパッド素地に固定することにより、形状記憶合金等の内蔵されたパッドを製造することができる。このため、従来のように、形状記憶合金等を直接パッド素地に固定するのと異なり、パッド素地に当てやすくなるため、パッド素地に固定し易くなる。また、形状記憶合金等の固定された帯状部材をパッド素地に固定するため、形状記憶合金等がパッド素地に対してずれ難くなる。このため、肩パッドが型くずれしないようになり、高品質の肩パッドを製造することができる。
【００３０】
また、柔軟部材が帯状であり、柔軟部材によって構成されるパッド形成部品全体に渡って帯状である本発明のパッド形成部品によれば、全体が帯状に構成されるため、パッド素地が層状に構成されている場合等に、そのパッド素地内に固定し易い。また、帯状であるため、形状記憶回復機能の必要な部分に沿って固定することができる。特に、肩パッド等の湾曲形状部分に沿って容易に固定できることとなる。さらに、複数個のパッド形成部品を適宜組み合わせて、パッドに最適の形状記憶能力を備えさせることができる。
【００３１】
次に、本発明のパッドの製造方法によれば、針金状の形状記憶合金等を直接パッド素地に固定していた従来のパッドの製造方法と異なり、形状記憶合金等の固定された帯状部材をパッド素地に固定することにより、形状記憶合金等の内蔵されたパッドを製造することができる。
【図面の簡単な説明】
【図１】本発明に係るパッド形成部品の実施例を示す図であり、同図（ａ）は正面断面図、同図（ｂ）は平面図である。
【図２】図１に示すパッド形成部品を用いて製造した肩パッドを示す図であり、同図（ａ）は斜視図、同図（ｂ）は側面断面図である。
【図３】本発明に係るパッド形成部品の他の実施例を示す図であり、同図（ａ）は平面図、同図（ｂ）はパッド形成部品を用いて製造した肩パッドを示す斜視図である。
【図４】本発明に係るパッド形成部品の更に他の実施例を示す平面図である。
【図５】本発明に係るパッド形成部品の更に他の実施例を示す図であり、同図（ａ）は平面図、同図（ｂ）は側面図である。
【図６】本発明に係るパッド形成部品の更に他の実施例を示す図であり、同図（ａ）は平面図、同図（ｂ）は側面図である。
【図７】本発明に係るパッド形成部品の更に他の実施例を示す平面図である。
【図８】本発明に係るパッド形成部品の更に他の実施例を示す平面図である。
【図９】本発明に係るパッド形成部品の更に他の実施例を示す平面図である。
【図１０】本発明に係るパッド形成部品の更に他の実施例を示す図であり、同図（ａ）は斜視図、同図（ｂ）は平面図である。
【図１１】従来のパッド製造方法を説明するための図であり、同図（ａ）は斜視図、同図（ｂ）は側面断面図である。
【符号の説明】
１０，２０，４０，５０，５８，６０，７０，８０，９２，９４；パッド形成部品
１２，２２，９６；パッド素地
１４，２４，４４，５４，５５，６４，７４，８４；帯状部材（柔軟部材）
１６，２６，４６，５６，６６，７６，８６；形状記憶部材
１８，２８，９８；肩パッド（パッド）
【図１】
2004052214.tif 000003
【図２】
2004052214.tif 000004
【図３】
2004052214.tif 000005
【図４】
2004052214.tif 000006
【図５】
2004052214.tif 000007
【図６】
2004052214.tif 000008
【図７】
2004052214.tif 000009
【図８】
2004052214.tif 000010
【図９】
2004052214.tif 000011
【図１０】
2004052214.tif 000012
【図１１】
2004052214.tif 000013